(57)【要約】      （修正有）【課題】キャベツの栽培においては、冬期の低温で花芽分化するため、良好に栽培されたキャベツを春期に収穫することは困難であるが、端境期となる３月から５月にかけての春期にキャベツを収穫できる栽培方法を提供する。【解決手段】マルチフィルムが敷設された圃場で、１１月から１２月までの間に、キャベツの苗をマルチフィルムよりも低位に収まるように植え付け、栽培するキャベツの栽培方法とした。また、土壌水分が３０％以上の状態でマルチフィルムが敷設された圃場で、土壌にキャベツの苗よりも大きい植付用の窪み穴を形成し、キャベツの苗をマルチフィルムよりも低位で且つ窪み穴に収まるように植え付けて栽培するキャベツの栽培方法とした。【選択図】図１
2016123360.tif 000002
【特許請求の範囲】
【請求項１】
マルチフィルムが敷設された圃場で、１１月から１２月までの間に、キャベツの苗をマルチフィルムよりも低位に収まるように植え付け、栽培するキャベツの栽培方法。
【請求項２】
土壌水分が３０％以上の状態でマルチフィルムが敷設された圃場で、土壌にキャベツの苗よりも大きい植付用の窪み穴を形成し、キャベツの苗をマルチフィルムよりも低位で且つ窪み穴に収まるように植え付けて栽培するキャベツの栽培方法。
【請求項３】
マルチフィルムが敷設された圃場で、マルチフィルムに植付用の貫通穴を形成すると共に、土壌にキャベツの苗よりも大きい植付用の窪み穴を形成し、キャベツの苗をマルチフィルムよりも低位で且つ窪み穴に収まるように植え付け、所定期間の間は前記貫通穴を塞ぎシートで塞いて栽培し、その後、塞ぎシートを取り外して苗の葉が貫通穴から上側に突出するまで栽培するキャベツの栽培方法。
【発明の詳細な説明】
【技術分野】
【０００１】
本発明は、キャベツの栽培方法の技術分野に属する。
【背景技術】
【０００２】
イチゴの栽培において、クラウン部を冷却して花芽の生長を促進することにより、収穫時期を早める技術がある（特許文献１参照）。このように、温度調節等の栽培条件を制御することにより、収穫時期が所望の時期となるようにする技術がある。
【先行技術文献】
【特許文献】
【０００３】
【特許文献１】特開２００２−２７２２６２号公報
【発明の概要】
【発明が解決しようとする課題】
【０００４】
上記背景技術のような温度調節等の栽培条件を制御する技術は、収穫作業の人員、工数等を考慮して収穫時期を多少ずらせる程度であり、一年間における収穫の季節を変えるまでは困難である。
【０００５】
そして、キャベツの栽培においては、冬期の低温で花芽分化するため、良好に栽培されたキャベツを春期に収穫することは困難であった。
【０００６】
本発明は、端境期となる３月から５月にかけての春期にキャベツを収穫できるようにすることを課題とする。
【課題を解決するための手段】
【０００７】
上記課題を解決するために、次のような技術的手段を講じた。
すなわち、請求項１に係る発明は、マルチフィルムが敷設された圃場で、１１月から１２月までの間に、キャベツの苗をマルチフィルムよりも低位に収まるように植え付け、栽培するキャベツの栽培方法とした。
また、請求項２に係る発明は、土壌水分が３０％以上の状態でマルチフィルムが敷設された圃場で、土壌にキャベツの苗よりも大きい植付用の窪み穴を形成し、キャベツの苗をマルチフィルムよりも低位で且つ窪み穴に収まるように植え付けて栽培するキャベツの栽培方法とした。
また、請求項３に係る発明は、マルチフィルムが敷設された圃場で、マルチフィルムに植付用の貫通穴を形成すると共に、土壌にキャベツの苗よりも大きい植付用の窪み穴を形成し、キャベツの苗をマルチフィルムよりも低位で且つ窪み穴に収まるように植え付け、所定期間の間は前記貫通穴を塞ぎシートで塞いて栽培し、その後、塞ぎシートを取り外して苗の葉が貫通穴から上側に突出するまで栽培するキャベツの栽培方法とした。
【発明の効果】
【０００８】
請求項１に係る発明によると、１１月から１２月までの間に苗を植え付けて栽培するという冬期の栽培でありながら、キャベツの苗をマルチフィルムよりも低位に収まるように植え付け、栽培するので、苗が寒さの影響を極力受けないようにでき、キャベツの冬期栽培が行え、端境期となる４月から５月にかけての間にキャベツを収穫でき、収穫物の付加価値を高めることができる。
【０００９】
請求項２に係る発明によると、土壌水分が３０％以上の状態であるから、形成する植付用の窪み穴が崩れにくく、土壌にキャベツの苗よりも大きい窪み穴を形成することができ、キャベツの苗をマルチフィルムよりも低位で且つ窪み穴に収まるように植え付けて栽培することで、苗が寒さの影響を極力受けないようにでき、キャベツの冬期栽培が行え、端境期となる４月から５月にかけての間にキャベツを収穫でき、収穫物の付加価値を高めることができる。
【００１０】
請求項３に係る発明によると、キャベツの苗をマルチフィルムよりも低位で且つ窪み穴に収まるように植え付けて栽培することで、苗が寒さの影響を極力受けないようにでき、キャベツの冬期栽培が行え、端境期となる３月から５月にかけての間にキャベツを収穫でき、収穫物の付加価値を高めることができる。しかも、所定期間の間は前記貫通穴を塞ぎシートで塞いて栽培するので、更に苗が寒さの影響を受けないようにでき、その後、塞ぎシートを取り外して苗の葉が貫通穴から上側に突出するまで栽培するので、所望の大きさにまでキャベツを栽培することができる。
【図面の簡単な説明】
【００１１】
【図１】苗トレイを示す平面図
【図２】育苗ポットを示す平面図
【図３】育苗ポットを示す断面正面図
【図４】苗トレイを示す底面図
【図５】播種機を示す側面図
【発明を実施するための形態】
【００１２】
この発明の実施の一形態を、以下に説明する。この実施の形態では、露地にてキャベツを栽培する方法について説明する。尚、以下の実施の形態は、あくまで実施の一形態であって、特許請求の範囲を拘束するものではない。
【００１３】
栽培方法は、先ず、耕うん機等により圃場に畝立てを行う。そして、この畝に十分な灌水を行って土壌水分が３０％以上の状態となるようにする。この灌水後に、畝にマルチフィルムを敷設する。マルチフィルムは、黒色のビニール素材で構成された一般的なものでよい。マルチフィルムが敷設された状態で数日間維持し、畝の地温を高めた後、マルチフィルムに植付用の貫通穴を開けると共に、畝に植付用の窪み穴を開け、該窪み穴にキャベツの苗が収まるように植え付ける。すなわち、窪み穴を、キャベツの苗よりも大きく形成する。このとき、土壌水分が３０％以上であるので、大きい窪み穴を開けても崩れ難い。尚、窪み穴がキャベツの苗よりも大きいので、植え付けられたキャベツの苗は、マルチフィルムよりも低位に収まる。また、窪み穴が大きく、マルチフィルムと土壌との間に空間が形成されるので、畝の地温が高めに維持され易くなる。尚、植え付けるキャベツの苗は、セルで育苗された、本葉が４〜６枚のやや大きめの苗とすることが望ましい。
【００１４】
この苗の植付は、畝の地温が高い状態で行うために、晴天の日の翌日に行うことが好ましい。苗の植付時期は、収穫時期を考慮して、１１月中旬から１２月末までの間とすることが望ましい。
【００１５】
苗の植付後、マルチフィルムに植付用の貫通穴を、不織布で構成された塞ぎシートにより塞ぐ。これにより、畝の地温を高めに維持でき、栽培を良好に行える。仮に、苗が上方に伸長しても、苗の葉は、不織布で構成された塞ぎシートに触れるので、マルチフィルムに触れるよりも損傷し難い。
【００１６】
苗の葉が塞ぎシートに触れるぐらいに大きくなったら、塞ぎシートを取り除いて栽培を継続する。そして、３月から５月の間の春期に、栽培されるキャベツが収穫適期となる。
以上により、このキャベツの栽培方法は、マルチフィルムが敷設された圃場で、１１月から１２月までの間に、キャベツの苗をマルチフィルムよりも低位に収まるように植え付け、栽培する。
【００１７】
よって、１１月から１２月までの間に苗を植え付けて栽培するという冬期の栽培でありながら、キャベツの苗をマルチフィルムよりも低位に収まるように植え付け、栽培するので、苗が寒さの影響を極力受けないようにでき、キャベツの冬期栽培が行え、端境期となる４月から５月にかけての間にキャベツを収穫でき、収穫物の付加価値を高めることができる。
【００１８】
また、土壌水分が３０％以上の状態でマルチフィルムが敷設された圃場で、土壌にキャベツの苗よりも大きい植付用の窪み穴を形成し、キャベツの苗をマルチフィルムよりも低位で且つ窪み穴に収まるように植え付けて栽培する。
【００１９】
よって、土壌水分が３０％以上の状態であるから、形成する植付用の窪み穴が崩れにくく、土壌にキャベツの苗よりも大きい窪み穴を形成することができ、キャベツの苗をマルチフィルムよりも低位で且つ窪み穴に収まるように植え付けて栽培することで、苗が寒さの影響を極力受けないようにでき、キャベツの冬期栽培が行え、端境期となる４月から５月にかけての間にキャベツを収穫でき、収穫物の付加価値を高めることができる。
【００２０】
また、マルチフィルムが敷設された圃場で、マルチフィルムに植付用の貫通穴を形成すると共に、土壌にキャベツの苗よりも大きい植付用の窪み穴を形成し、キャベツの苗をマルチフィルムよりも低位で且つ窪み穴に収まるように植え付け、所定期間の間は前記貫通穴を塞ぎシートで塞いて栽培し、その後、塞ぎシートを取り外して苗の葉が貫通穴から上側に突出するまで栽培する。
【００２１】
よって、キャベツの苗をマルチフィルムよりも低位で且つ窪み穴に収まるように植え付けて栽培することで、苗が寒さの影響を極力受けないようにでき、キャベツの冬期栽培が行え、端境期となる３月から５月にかけての間にキャベツを収穫でき、収穫物の付加価値を高めることができる。しかも、所定期間の間は前記貫通穴を塞ぎシートで塞いて栽培するので、更に苗が寒さの影響を受けないようにでき、その後、塞ぎシートを取り外して苗の葉が貫通穴から上側に突出するまで栽培するので、所望の大きさにまでキャベツを栽培することができる。
【００２２】
ところで、前述したキャベツの苗をはじめ、野菜苗やたばこ苗等の苗を育苗する苗トレイ１について説明する。苗トレイ１は、苗を一株毎に収容する育苗ポット４を縦方向に８列、横方向に１６列、すなわち計１２８個設けた構成となっている。苗トレイ１は、上下の厚みが薄い直方体の発泡スチロ−ル等の発泡樹脂で構成されている。育苗ポット４は、苗の床部が収容される主要部５と該主要部５の側面に設けた上下方向の計４本の溝部６と下端に設けた底孔部７とを備えて構成されている。前記主要部５は、平面視で円形状であり、上下方向で苗トレイ１の上端から苗トレイ１の下端より若干上側の位置まで設けられ、下方へいくにつれて内径が小さくなるように側面が若干の傾斜面で構成されている。前記計４本の溝部６は、平面視で等間隔（主要部の中心に対して９０度毎）に設けられ、主要部５の下端で育苗ポット４の内側方に向けて屈曲して前記底孔部７に連通した構成となっている。底孔部７は、平面視及び底面視で主要部５より内径が小さい円形状となっている。尚、苗トレイ１の高さは６０ｍｍで、育苗ポット４の底孔部７の内径は１６ｍｍとなっている。苗トレイ１の底面には、育苗ポット４の底孔部７を縦方向につなぐように計８列の案内溝８を設けている。尚、この案内溝８は、育苗ポット４の底孔部７の内径より若干小さい幅で構成されている。この苗トレイ１により苗を育苗するとき、先ず育苗ポット４の主要部５に床土を供給し、播種し、更にその上方に覆土して、適宜灌水して育苗する。このとき、育苗ポット４の計４本の溝部６は、平面視における育苗ポット４の外周方向（円周方向）の幅が狭いため、床土や覆土が供給されず、空洞となる。これにより、苗の床土部の側面及び下面に大気に開放した部分ができるため、エア−プル−ニング効果が生じて平面視における育苗ポット４の外周に沿って巻くように苗の根が伸長するのを防止でき（根巻きを防止でき）、その結果、苗の根が床土部全体に伸長するようになって根が絡み合い、崩れにくい強固な床土部を得ることができる。根巻きが発生していると、底孔部７に突入させた苗押出具により苗を押し出して育苗ポット４の上端の開口部１１から苗を取り出すときに、床土部が崩れてしまい、苗の押出を正確に且つ良好に行えないばかりでなく、以後の苗の成育が不良となるおそれがある。
【００２３】
この苗トレイ１ひいては育苗ポット４の表面は、シリコンエマルジョンでコーティング処理されている。これにより、耐久性が向上すると共に、苗の根が伸長して発泡樹脂で構成された苗トレイ１の中に侵入することを防止できる。尚、苗を取り出した空の苗トレイ１を、水洗いした後、シリコンエマルジョンに浸漬させて乾燥することによりコーティング処理してもよい。尚、苗トレイ１の材質を、発泡度を２５倍程度となる低発泡度で高密度とした発泡スチレンとしてもよい。これにより、耐久性が向上すると共に、苗の根が伸長して発泡樹脂で構成された苗トレイ１の中に侵入することを防止できる。従来の苗トレイは、発泡度が３３〜６０倍程度で高く、耐久性が低く、伸長する根が苗トレイに入り込むおそれがある。
【００２４】
苗トレイ１ヘの播種は、播種機１２により行うことができる。播種機１２は、苗トレイ１を搬送する搬送コンベア１３を備え、該搬送コンベア１３の搬送方向上手側から土詰装置１４、均平装置１５、前灌水装置１６、播種穴成形装置１７、播種装置１８、後灌水装置１９、覆土装置２０がその順に配設されている。後灌水装置１９は、霧状に散水し、前灌水装置１６よりも少ない灌水量で灌水する。尚、後灌水装置１９の灌水量は、苗トレイ１枚あたり２００ｃｃ程度である。これにより、播種した種子の近傍の土壌水分量を低くすることができ、灌水過多による発芽不良を防止することができる。特に、ほうれん草の苗の育苗においては、灌水過多による発芽不良に注意を要する。尚、前灌水装置１６により、土詰装置１４で土詰めした育苗ポット４の下部の床土に水分を保持させることにより、育苗時の床土の乾燥を防止でき、良好な育苗が行える。尚、播種した種子の近傍の土壌水分量が高くなることを確実に防止するために、前灌水装置１６の後で播種穴成形装置１７の前に第二土詰装置を追加して設け、第二土詰装置の土詰めした床土の上に播種装置１８が播種する構成としてもよい。尚、播種装置１８は、種子を吸着して放出することにより播種する真空播種装置であってもよい。                                                                                              
【図１】
2016123360.tif 000003
【図２】
2016123360.tif 000004
【図３】
2016123360.tif 000005
【図４】
2016123360.tif 000006
【図５】
2016123360.tif 000007